(57)【要約】【課題】  確実に目的の場所に液体を噴射することができるトリガースプレーを提供すること。【解決手段】トリガー部の押圧力によりピストン９を移動させてシリンダ内の液体をノズル部８より噴射させるトリガースプレー１であって、容器軸方向に沿って筒状の胴部３ｇが配置され、該胴部のノズル部側にはヒンジ部３ｃが形成され、該ヒンジ部を介してトリガー部が回動自在に設けられ、該トリガー部は基準位置においてヒンジ部を基点にノズル部側と反対側に向けて垂下しているトリガースプレー。  また、容器２の口部２ａと胴部３ｇの支持壁部３ｅから下方に垂下形成された外筒部との間にＯリング６が嵌め込まれているトリガースプレー。【選択図】  図３ 
2005296714.tif 000002
【特許請求の範囲】
【請求項１】
トリガー部の押圧力によりピストンを移動させてシリンダ内の液体をノズル部より噴射させるトリガースプレーであって、
容器軸方向に沿って筒状の胴部が配置され、
該胴部のノズル部側にはヒンジ部が形成され、該ヒンジ部を介してトリガー部が回動自在に設けられ、
該トリガー部は基準位置においてヒンジ部を基点にノズル部側と反対側に向けて垂下していることを特徴とするトリガースプレー。
【請求項２】
トリガー部は板バネによって上方に付勢されていることを特徴とする請求項１に記載のトリガースプレー。
【請求項３】
前記トリガー部には、指掛け部が形成されていることを特徴とする請求項１に記載のトリガースプレー。
【請求項４】
前記トリガー部の先端と胴部の一部とを係合してなるラッチ機構を有していることを特徴とする請求項１に記載のトリガースプレー。
【請求項５】
前記板バネは、胴部の支持壁部に立設されてなるガイド筒部の外周に形成された挿入用空間部に装着固定され、この挿入の深さが変更可能とされていることを特徴とする請求項２に記載のトリガースプレー。
【請求項６】
前記板バネは胴部の支持壁部に当接することにより移動の下限が設定されることを特徴とする請求項１に記載のトリガースプレー。
【請求項７】
前記ノズル部の上下移動は、該ノズル部の放射状に突設したスライダー部によりガイド筒部内を上下に摺動することを特徴とする請求項５に記載のトリガースプレー。
【請求項８】
前記容器の口部と胴部の支持壁部から下方に垂下形成された外筒部との間にＯリングが嵌め込まれていることを特徴とする請求項１記載のトリガースプレー。
【発明の詳細な説明】
【技術分野】
【０００１】
本発明は、トリガーを引くことによりピストンが下降するトリガースプレーに関する。
特に、容器軸方向に沿って配置される筒状の胴部にトリガーがヒンジ部を介して一体的に形成されているトリガースプレーに関する。
【背景技術】
【０００２】
従来、トリガースプレーとして図６に記載のものが知られている（特許文献１参照）。
このトリガースプレー１００は、液体が充填された容器１０１とこの容器１０１の上端側に設けられるカバー部１０２とを有している。
このカバー部１０２の一角は大きく切り欠かれ、その切欠きからはトリガー部１０３が露出している。
【０００３】
そして、このトリガー部１０３の円弧状の面に親指の腹をあてがい、他の指で液体噴射部１０４側と反対側の面を抑えながら、トリガー部１０３を押し込むと、液体噴射部１０４付近から液体が噴出されるというものである。
なお、トリガー部１０３の指あて面は、メッシュ状にされ滑止め機能を有するようにされている。
【０００４】
【特許文献１】特開２００２−２４９１５５号公報
【発明の開示】
【発明が解決しようとする課題】
【０００５】
しかしながら、上述したトリガースプレー１００では、親指を用いてトリガー部１０３を押し込もうとすると、親指の根元（親指と人差し指の間）が開いて、トリガースプレー１００を手で動かないように拘束しづらくなる。
その結果、トリガースプレー１００を把持する力が不安定となり、液体を噴射する際にノズル部が動いてしまい所定の場所に確実にスプレーできない。
【０００６】
本発明は、かかる背景技術をもとになされたもので、上記の背景技術の問題点を克服するためになされたものである。
すなわち、本発明は、確実に目的の場所に液体を噴射することができるトリガースプレーを提供することを目的とする。
【課題を解決するための手段】
【０００７】
かくして、本発明者は、このような課題背景に対して鋭意研究を重ねた結果、ノズル部側と反対側でトリガー部を押し込むことができるようにすることにより、上記の問題点を解決することができることを見出し、この知見に基づいて本発明を完成させたものである。
【０００８】
すなわち、本発明は、（１）、トリガー部の押圧力によりピストンを移動させてシリンダ内の液体をノズル部より噴射させるトリガースプレーであって、容器軸方向に沿って筒状の胴部が配置され、該胴部のノズル部側にはヒンジ部が形成され、該ヒンジ部を介してトリガー部が回動自在に設けられ、該トリガー部は基準位置においてヒンジ部を基点にノズル部側と反対側に向けて垂下しているトリガースプレーに存する。
【０００９】
また、本発明は、（２）、トリガー部は板バネによって上方に付勢されている上記（１）に記載のトリガースプレーに存する。
【００１０】
また、本発明は、（３）、前記トリガー部には、指掛け部が形成されている上記（１）に記載のトリガースプレーに存する。
【００１１】
また、本発明は、（４）、前記トリガー部の先端と胴部の一部とを係合してなるラッチ機構を有している上記（１）に記載のトリガースプレーに存する。
【００１２】
また、本発明は、（５）、前記板バネは、胴部の支持壁部に立設されてなるガイド筒部の外周に形成された挿入用空間部に装着固定され、この挿入の深さが変更可能とされている上記（２）に記載のトリガースプレーに存する。
【００１３】
また、本発明は、（６）、前記板バネは胴部の支持壁部に当接することにより移動の下限が設定された上記（１）に記載のトリガースプレーに存する。
【００１４】
また、本発明は、（７）、前記ノズル部の上下移動は、該ノズル部の放射状に突設したスライダー部によりガイド筒部内を上下に摺動する上記（５）に記載のトリガースプレーに存する。
【００１５】
また、本発明は、（８）、前記容器の口部と胴部の支持壁部から下方に垂下形成された外筒部との間にＯリングが嵌め込まれている上記（１）に記載のトリガースプレーに存する。
【００１６】
なお、本発明の目的に添ったものであれば、上記（１）から（８）を適宜組み合わせた構成も採用可能である。
【発明の効果】
【００１７】
本発明によれば、容器軸方向に沿って配置される筒状の胴部にトリガー部がヒンジ部を介して回動自在に設けられており、しかもトリガー部はヒンジ部を基点にノズル部側と反対側に向けて垂下しているので、シリンダ内の液体をノズル部から噴射する際には、ノズル部側に親指のつけ根をあてがい、ノズル部と反対側に垂下しているトリガー部に他の指を掛け、トリガー部をノズル部側へ押し込むことにより、シリンダ内の液体を噴射させることができる。
【００１８】
そのため、トリガー部を人差し指を使って押し込む場合に、親指の根元でトリガースプレーの変位の拘束が確実に行われる。
人差し指による力が加わってもトリガースプレーが安定した状態に維持でき、トリガースプレー自体が液体噴射中にぶれてしまうのを防止することができる。  従って、確実に目的の場所に液体を噴射することができる。
【発明を実施するための最良の形態】
【００１９】
以下、本発明を実施するための最良の形態を図面に基づいて説明する。
図１は、本発明の一実施形態に係るトリガースプレーを示している。
この一実施形態のトリガースプレー１は、樹脂製品であり、液が封入される直方体状の容器２と、この容器２に嵌着されるカバー部３と、を有している。
このカバー部３は容器２に比べてやや細くされ、カバー部３と容器２との境界には僅かに段差が形成されている。
これはオーバーキャップ３Ａを嵌合させると面一になり引っ掛かりのない状態とするためである（図３の二点鎖線参照）。
なお、オーバーキャップ３Ａは、店頭販売のための携帯時の作動防止のために使用することが好ましい。
カバー部３の側面には、カバー部３の上端から高さ方向の中程の位置までＬ字状に切り欠かれた切欠部３ａが形成されている。
【００２０】
カバー部３の正面側には、ノズル４から液体を支障なく噴出させることができるように、ノズル４に対応する位置に長穴３ｂが形成されている。
この長穴３ｂの上方にあたるカバー部３の上端側の一端には、ヒンジ部３ｃが形成され、このヒンジ部３ｃを介してトリガー部３ｄが、図でいう時計回りに回動自在に連結されている。
このトリガー部３ｄの後端側には、円弧状に窪んだ指掛け部３ｄ１が形成されている。
この指掛け部３ｄ１が存在することで、例えば、人差し指の当てる位置が探り易く、また指が安定した状態となる。
【００２１】
そして、図２に示すように、トリガー部３ｄの指掛け部３ｄ１に指を掛けて、そのまま押し込むと、トリガー部３ｄはカバー部３の中に入り、外へ露出する体積が小さくなる。
指が切欠部３ａに引掛かる位置までトリガー部３ｄを押し込むと、そこでトリガー部３ｄの回動は阻止される。
なお、図５で後述するように、トリガー部３ｄの先端（爪部３ｄ３）が支持壁部３ｅに当たって停止する。
【００２２】
トリガー部３ｄを押し込む前は、図１（Ｂ）に示すようにノズル４は長穴３ｂの一側（上側）で視認される状態にあり、いま、トリガー部３ｄを押し込んでいくと、ノズル４の位置が徐々に下方に移動する。
そして図２に示す位置までトリガー部３ｄを押し込むと、ノズル４は長穴３ｂの他側（下側）に到達する。
トリガー部３ｄを図２に示す位置まで押し込むと、指掛け部３ｄ１にあてがった人差し指が切欠部３ａの壁に接触し、トリガー部３ｄはそれ以上動かない。
このような時点ではノズル４は長穴３ｂの一側（下側）で視認される状態となる。
なお、ノズル４から噴射された液体の一部がカバー部３の内壁に衝突するようなことを確実に防止するために、長穴３ｂを余分に長くしても良い。
【００２３】
図３は、トリガースプレー１の断面図である。
容器２の上端側には、容器２の中心位置から偏った位置に口部２ａが形成されている。
この口部２ａには、後述するようにシリンダ部３ｆを介して棒状に組み合わされたポンプアッセンブリー５が挿入されている。
また、口部２ａの外周面には切欠部２ｂが形成され、ここにカバー部３とシリンダ部３ｆとのシール性を確保するためのＯリング６が嵌め込まれている。
【００２４】
カバー部３は、筒状の胴部３ｇを有しており、この筒状の胴部３ｇの内側に横断するように（水平方向に）支持壁部３ｅが形成されている。
この支持壁部３ｅの上にシリンダ部３ｆが立設されている。
胴部３ｇの下端には爪部３ｇ１が形成され、この爪部３ｇ１が容器２の嵌着部２ｃに係合されることで、容器２にカバー部３が確実に装着される。
シリンダ部３ｆは、支持壁部３ｅから下方に乗下形成された内筒部３ｆ１と外筒部３ｆ２とを有しており、支持壁部３ｅより上方側にはガイド筒部３ｆ３が形成されている。
この内筒部３ｆ１は、容器２の口部２ａに内挿されポンプアッセンブリー５を保持する役割を果たしている。
外筒部３ｆ２は、口部２ａを内嵌し、上述したようにＯリング６を挟み込み気密性を確保している。
そのため容器２に揮発性の液体を充填した場合にも、発散等の問題はない。
【００２５】
ガイド筒部３ｆ３の外周に挿入用空間部３ｆ４が形成され、この挿入用空間部３ｆ４に長方形状の板バネ７が圧入により装着固定されている。
この板バネ７は弾性体である必要から合成樹脂製のものが好ましい。
板バネ７の先端は、トリガー部３ｄの緩いドーム形をした天板部３ｄ２と当接し、より具体的には、板バネ７が弾発力を保ったまま円弧状に撓んだ状態が天板部３ｄ２により維持されている。
【００２６】
この板バネ７の撓み具合を調整して置くことで、トリガー部３ｄの押込みに必要な力を調整することができる。
例えば、男性用、女性用、及び子供用等といった需要者層の相違に応じて、弾性体のバネ力を大きく又は小さくすることか可能である。
この板バネ７は、例えば図４（Ａ）に示すように、撓んだ状態（曲率半径Ｒ１）で挿入用空間部３ｆ４に装着固定されるが（通常、圧入固定される）、この板バネ７の弾発力を大きくしたい場合には、図４（Ｂ）に示すように板バネ７の挿入深さを浅くして撓みを大きく（曲率半径Ｒ２）する（Ｒ１>Ｒ２）。
【００２７】
このとき、図中矢印で示すように、トリガー部３ｄを付勢する力のベクトルはより垂直方向を向くようになる。
一方、板バネ７の弾発力を小さくしたい場合には、図４（Ｃ）に示すように板バネ７の挿入深さを長くして撓みを緩やか（曲率半径Ｒ３）にする（Ｒ３>Ｒ１）。
このとき、図中矢印で示すように、トリガー部３ｄを付勢する力のベクトルはより水平方向を向くようになる。
【００２８】
トリガー部３ｄの先端側には爪部３ｄ３が形成され、胴部３ｇの上端周縁部の一部と係合するようにされており、いわゆるラッチ機構が形成されている。
そのため、トリガー部３ｄを引いた後、トリガー部３ｄが元の位置に戻っても、このラッチ機構によりトリガー部３ｄの先端が胴部３ｇの一部に引掛かり、それ以上トリガー部３ｄは上方にオバー移動しない。
一方、ポンプ容器自体に振動を与えてもトリガー部３ｄのガタ付きは防止される。
【００２９】
ところで、ポンプアッセンブリー５の上端は、トリガー部３ｄの天板部３ｄ２と多少の遊びを持った状態で係合され、トリガー部３ｄを引くと、天板部３ｄ２の位置が下がり、天板部３ｄ２と連結されたポンプアッセンブリー５のノズル部８も下降する。
この変化の状態を図５を用いて更に詳細に説明する。
【００３０】
いま、トリガー部３ｄを引きノズル部８を下降させると、ノズル部８の下端に連結されたピストン９もガイド筒１０内を摺動しながら下降し、図５（Ａ）に示す状態から図５（Ｂ）に示す状態に変化する。
ガイド筒１０にはＦバルブ１２が挿入されているが、このＦバルブ１２とピストン９との間の空間１１は、ピストン９が下降することにより圧縮され、予め空間１１に存在していた液体はピストン９及びノズル部内を通ってノズルヘッド８ａの先（ノズル４）から噴射される。
そして、この噴射された液体は、カバー部３の長穴３ｂを通過して外方へ飛び出す。
【００３１】
図５（Ｂ）のノズル４が下降した状態では、板バネ７は図５（Ａ）に示す状態に比べて大きく撓んでおり、板バネ７を平板形状に戻そうとする復元力が大きくされ、板バネに蓄えられる内部エネルギーも大きくなっている。
板バネ７は、撓み量が増すに連れて、板バネ７を変形させるのに必要な力が大きくなり、人差し指で押し込む力が大きく必要とされる。
【００３２】
そのため、トリガースプレー１を操作する際に、人差し指等が切欠部３ａに当接する前に感覚的にトリガー部３ｄを停止し易い。
なお、この実施形態の場合では、指掛け部３ｄ１を人指し指が切欠部３ａに掛かる位置まで押し込むと、ノズル部８から放射状に突設されたスライダー部１３の上にあるフランジ部１３ａが、シリンダ部３ｆ（詳しくはガイド筒部３ｆ３）に当接し、ノズル部８やピストン９はそれ以上下降しないようになる。
ここで、スライダー部１３はシリンダ部３ｆ（詳しくはガイド筒部３ｆ３）内を摺動することで、ノズル部８の上下移動を揺動することなく安定した状態で行わしめる。
なお、トリガー部３ｄの先端（爪部３ｄ３）が支持壁部３ｅに当たることで停止する点も前述した。
【００３３】
図５（Ｂ）に示す状態から人差し指を放して指掛け部３ｄ１の付勢を解除すると、指掛け部３ｄ１は板バネ７の復元力により押し戻され、図５（Ａ）に示す元の位置の状態（すなわち基準位置）に戻る。
図５（Ａ）に示す状態では、未だ板バネ７は円弧状に撓んだままであり、復元力は完全に解消されてはいないが、トリガー部３ｄの先端、すなわち爪部３ｄ３が、胴部３ｇの上端に引掛かり、ラッチ機構により静止状態となる。
なお、ノズル部８はトリガー部３ｄの天板部３ｄ２と一体的に連結されているため、板バネ７によって、天板部３ｄ２の位置は図５（Ｂ）に示す状態から図５（Ａ）に示す状態に強制的に持ち上げられピストン９も上昇し、空間１１は初期状態の容積に戻る。
なお、この際空間１１は負圧状態となるので、容器内の液体はガイド筒１０を介して吸い上げられ、空間１１に侵入し、次回ノズル部８を下降させたときにノズルヘッド８ａから噴射される液体として蓄えられる。
【００３４】
このように、トリガー部３ｄとノズル部８（ピストン９と一体に連結されている）とは連結され、トリガー部３ｄを移動させるとピストン９も連動して移動する。
そしてトリガー部３ｄの指による押込みを解除すると、板バネ７の復帰力によりトリガー部３ｄがヒンジ部３ｃを中心に上方へ回動しピストン９は上昇する。
このように、板バネ７を使うことにより、トリガー部３ｄの押込み及びその解除の繰返を行ってピストン９を往復移動させることができる。
そのため、従来のようにピストン９等に溝を掘りＣリングを嵌めコイルバネによって付勢力を得るというような複雑な機構を構成する必要がない。
またコスト的にも低減されることとなる。
【００３５】
上述した一実施形態のトリガースプレー１では、容器軸方向に沿って配置される筒状の胴部３ｇにトリガー部３ｄがヒンジ部３ｃを介して回動自在に設けられており、しかもトリガー部３ｄはヒンジ部３ｃを基点にノズル部側と反対側に向けて垂下しているので、シリンダ内の液体をノズル部８から噴射する際には、ノズル部側に親指を当てがい、ノズル部８と反対側に垂下しているトリガー部３ｄに他の指をかけ、トリガー部３ｄをノズル部側へ押し込むことにより、シリンダ内の液体を噴射させることができる。
【００３６】
そのため、力の入る親指を中心にトリガースプレー１の拘束が確実に行われ、振れ等が生じることがなく、確実に目的の場所に液体を噴射することができるトリガースプレー１を提供することができる。
【００３７】
以上、本発明を説明してきたが、本発明は上述した一実施形態にのみ限定されるものではなく、その本質を逸脱しない範囲で、他の種々の変形が可能であることはいうまでもない。
例えば、指掛け部３ｄ１の表面に凹凸を形成して滑止め機能を発揮させても良い。
また、板バネ７をノズル部側と反対側に向けて湾曲させた例について説明したが、板バネ７の基端をノズル部と反対側に配置し、ノズル部側へ向けて板バネ７を湾曲させるようにしても良い。
【産業上の利用可能性】
【００３８】
本発明は、容器軸方向に沿って配置される筒状の胴部にトリガーがヒンジ部を介して一体的に形成されているトリガースプレーに関するものであるが、その原理を利用する限り、本発明以外の他の容器のスプレーにも適用可能である。
【図面の簡単な説明】
【００３９】
【図１】図１は、本発明の一実施形態に係るトリガースプレーを示す説明図である。（Ａ）は平面図、（Ｂ）は正面図、（Ｃ）は側面図である。
【図２】図２は、図１のトリガースプレーのトリガー部が押し込まれた状態を示す説明図である。
【図３】図３は、図１のトリガースプレーの半裁断面図である。
【図４】図４は、板バネの挿入深さの相違による板バネの撓み具合の変化を示す説明図である。  （Ｂ）、（Ａ）、（Ｃ）の順に板バネの挿着穴への挿入長さが深くなっている。
【図５】図５は、図１のトリガースプレーの液体噴射時の内部機構の変化を示す説明図である。（Ａ）は、初期状態、すなわちトリガー部を握っていない状態を示しており、（Ｂ）はトリガー部を押し込んだ状態を示している。
【図６】図６は、従来の一実施形態に係るトリガースプレーを示す説明図である。
【符号の説明】
【００４０】
１  トリガースプレー
２  容器
２ａ  口部
２ｂ  切欠部
２ｃ  嵌着部
３  カバー部
３Ａ  オーバーキャップ
３ａ  切欠部
３ｂ  長穴
３ｃ  ヒンジ部
３ｄ  トリガー部
３ｄ１  指掛け部
３ｄ２  天板部
３ｄ３  爪部
３ｅ  支持壁部
３ｆ  シリンダ部
３ｆ１  内筒部
３ｆ２  外筒部
３ｆ３  ガイド筒部
３ｆ４  挿入用空間部
３ｇ  胴部
３ｇ１  爪部
４  ノズル
５  ポンプアッセンブリー
６  Ｏリング
７  板バネ
８  ノズル部
８ａ  ノズルヘッド
９  ピストン
１０  ガイド筒
１１  空間
１２  Ｆバルブ
１３  スライダー体
１３ａ  フランジ部
１００  トリガースプレー
１０１  容器
１０２  カバー部
１０３  トリガー部
１０４  液体噴射部
【図１】
2005296714.tif 000003
【図２】
2005296714.tif 000004
【図３】
2005296714.tif 000005
【図４】
2005296714.tif 000006
【図５】
2005296714.tif 000007
【図６】
2005296714.tif 000008